(57)【要約】【課題】クランプ部材によるディスク保持力の不均一を回避すると共に、工程作業の質の均一化を図ることで、信頼性の高いブラシレスモータを提供すること。【解決手段】回転部材であるシャフト１０と、シャフト１０に固定されたターンテーブル２０とを備えたブラシレスモータにおいて、ターンテーブル２０の内周部に設けられた凹部２０ａ内には、ヨーク２６が配置されている。ヨーク２６は、凹部２０ａの底面及び内周面との間に間隙を介すよう、シャフト１０に圧入されている。【選択図】　　　　図１
2004056930.tif 000002
【特許請求の範囲】
【請求項１】
シャフトと、該シャフトと一体的に回転するターンテーブルと、該ターンテーブルの内周部に配設されたヨークとを備えるブラシレスモータにおいて、
前記ヨークは、前記シャフトに固定されていることを特徴としたブラシレスモータ。
【請求項２】
前記ヨークと、前記ターンテーブルとの間には、間隙が設けられていることを特徴とした請求項１記載のブラシレスモータ。
【請求項３】
前記ヨークと、前記ターンテーブルとの間隙には、接着剤が充填されていることを特徴とした請求項２記載のブラシレスモータ。
【発明の詳細な説明】
【０００１】
【発明の属する技術分野】
本発明は，ＣＤ−ＲＯＭ，ＣＤ−Ｒ，ＣＤ−ＲＷ，ＤＶＤ−ＲＯＭ，ＤＶＤ−ＲＡＭ，ＤＶＤ−ＲＷ等のディスクの駆動用に使用されるブラシレスモータに関する。
【０００２】
【従来の技術】
ＣＤ−ＲＯＭ，ＣＤ−Ｒ，ＣＤ−ＲＷ，ＤＶＤ−ＲＯＭ，ＤＶＤ−ＲＡＭ，ＤＶＤ−ＲＷ等の着脱自在なディスクの駆動用に使用される従来のブラシレスモータとして、例えば図３に示す構造のものが知られている。
【０００３】
この従来のブラシレスモータは、固定部材であるブッシュ１０４とスリーブ１０８によって回転自在に支持されるシャフト１１０と、シャフト１１０に外嵌固定されて、一体的に回転するロータフレーム１１５と、ロータフレーム１１５に装着されたロータマグネット１１６と、ブッシュ１０４に固定されると共に、ロータマグネット１１４と半径方向に互いに対向するステータ１０６とを備えている。
【０００４】
シャフト１１０のロータフレーム１１５より軸方向外方部には、ターンテーブル１２０が外嵌固定され、ターンテーブル１２０の内周部には環状の凹部１２０ａが設けられている。
【０００５】
ターンテーブル１２０の凹部１２０ａ内には、環状のヨーク１２６が固定されており、その固定には、凹部１２０ａに設けられた樹脂ピン１２０ｂに、ヨーク１２６に設けられた嵌合部１２６ａをはめ合わせた後、樹脂ピン１２０ｂを溶融し溶着させる方法が用いられている。
【０００６】
ヨーク１２６の上端面には、環状のクランプマグネット１２８が接着等の手段によって固定されている。
【０００７】
上記構成を有するブラシレスモータにおいて、ターンテーブル１２０にディスク１２４が載置されると、クランプマグネット１２８によって、図３において二点鎖線で示す駆動装置側のクランプ部材１３０が磁気吸引され、これによりターンテーブル１２０上にディスク１２４が保持されることとなる。
【０００８】
【発明が解決しようとする課題】
しかしながら、ターンテーブル１２０の樹脂ピン１２０ｂを溶融して、ヨーク１２６と固定させる方法（溶着）では、樹脂ピン１２０ｂの溶融温度、溶融時間或いは冷却時間等の管理によっては、樹脂ピン１２０ｂの溶着に誤差が生じることがある。
【０００９】
すなわち、製造工程において、樹脂ピン１２０ｂを、超音波溶着や加熱溶着によってヨーク１２６に溶着させる方法では、樹脂ピン１２０ｂを溶かす際の溶融時間が長すぎると、樹脂ピン１２０ｂが溶け過ぎてしまったり、加熱ピンから成る溶接工具に樹脂が付着して次工程に支障を来すことがある。
【００１０】
また、樹脂ピン１２０ｂの溶融時間が長すぎると、樹脂ピン１２０ｂと同様に樹脂で成形されるターンテーブル１２０そのものに変形が生じ、ヨーク１２６とターンテーブル１２０との平行度が失われ、ターンテーブル１２０のディスク１２４載置面からヨーク１２６上端面に固着しているクランプマグネット１２８の上端面までの寸法精度の影響を受ける、クランプマグネット１２８によるクランプ部材１３０に対する磁気吸引力にバラツキが生じてしまう。
【００１１】
このようにクランプマグネット１２８とクランプ部材１３０との間に作用する磁気力にバラツキが生じると、クランプ部材１３０によるディスク１２４保持力が周方向に不均一となり、ディスク１２４を安定して保持することが困難となるばかりか、駆動装置によるディスク１２４への読み込みや書き込みも困難となってしまう。また、高速回転時においては遠心力がクランプマグネット１２８とクランプ部材１３０との間に作用する磁気力を上回り、クランプ部材１３０が外れてディスク１２４が飛散する場合もある。
【００１２】
これとは逆に、溶融時間が短すぎると、樹脂ピン１２０ｂが十分に溶解せず、ターンテーブル１２０に対するヨーク１２６の溶着が不十分となる。
【００１３】
このように樹脂ピン１２０ｂとヨーク１２６との溶着が不十分であると、ヨーク１２６が樹脂ピン１２０ｂから剥がれてしまい、クランプ部材１３０によるディスク１２４の保持自体が不可能となる。
【００１４】
本発明は、上記課題に鑑みたものであり、その目的は、クランプ部材によるディスクに対する保持力の不均一を回避すると共に、工程作業の質の均一化を図ることで、信頼性の高いブラシレスモータを提供することである。
【００１５】
【課題を解決するための手段】
上記課題を解決するために、本発明の請求項１に記載のブラシレスモータでは、シャフトと、該シャフトと一体的に回転するターンテーブルと、該ターンテーブルの内周部に配設されたヨークとを備えるブラシレスモータにおいて、
前記ヨークは、前記シャフトに固定されていることを特徴とする。
【００１６】
本発明の請求項２に記載のブラシレスモータでは、ヨークと、ターンテーブルとの間に、間隙が設けられていることを特徴とする。
【００１７】
本発明の請求項３に記載のブラシレスモータでは、ヨークと、ターンテーブルとの間隙に、接着剤が充填されていることを特徴とする。
【００１８】
【発明の実施の形態】
以下、本発明の実施形態に係るブラシレスモータを図１を参照して説明する。このブラシレスモータは、ＣＤ−ＲＯＭ等のディスクを回転駆動するためのものである。尚、本実施形態の説明では便宜上各図面の上下方向を「上下方向」とするが、実際の取付状態における方向を限定するものではない。
【００１９】
図１に図示されるブラシレスモータは、中央部に貫通孔２ａを有するフレーム２を備え、この貫通孔２ａに、鉄、ステンレス等から成形された円筒状のブッシュ４が挿入されると共に、ブッシュ４の下部に設けられたカシメ部４ａを半径方向外方側に塑性変形させることにより、ブッシュ４とフレーム２とを固定させる。
【００２０】
ブッシュ４は上方側端部が開放された一方開口状に構成されており、その外周部には、ステータ６が接着等の手段によって固定され、内周部には、潤滑油を含浸した中空円筒状の多孔質焼結体のスリーブ８が圧入され、固定される。また、ブッシュ４の内周部の底部には、耐摩耗性や耐熱性に優れた樹脂材から形成されるスラスト受け板１２が配設される。
【００２１】
スリーブ８内にはシャフト１０が回転自在に挿通されており、回転時にはシャフト１０は、スリーブ８の内周面によって潤滑油を介して、半径方向から支持されると共に、断面円弧状に形成された下方側端部がスラスト受け板１２に当接することによって軸方向から支持されることとなる。
【００２２】
ブッシュ４の内周面における下方側端部には、例えばプレス加工によって段差部４ｂが形成されている。
【００２３】
また、段差部４ｂには、シャフト１０の外径よりも小内径な環状のリング部材１４が載置され、リング部材１４の上端面にスリーブ８の下端面が当接されることにより、リング部材１４は段差部４ｂとスリーブ８とに軸方向から挟持されている。
【００２４】
シャフト１０の外周面には、リング部材１４に対応して環状溝１０ａが形成されており、これらリング部材１４と環状溝１０ａとが係合することでシャフト１０の抜止めが構成される。
【００２５】
回転部材であるシャフト１０には、ブッシュ４とスリーブ８の上端部の軸方向上側にカップ状のロータフレーム１５が圧入され、固定されている。
【００２６】
ロータフレーム１５は、鉄、ステンレス等の磁性材から成形され、その内周面には、接着等によってロータマグネット１６が、ブッシュ４に固定されたステータ６と半径方向に間隙を介し対向して固定されている。
【００２７】
また、ロータマグネット１６と軸方向に対向する位置には、回転位置検出用にホール素子１８がフレーム２に固定されている。
【００２８】
シャフト１０には、ロータフレーム１５の軸方向上方部に円盤状のターンテーブル２０が接着と圧入との併用によって、固定されている。このターンテーブル２０が固定されるシャフト１０の外周面には接着溝１０ｂが設けられており、圧入によってしごかれた接着剤は、この接着溝１０ｂ内に収容されることとなる。
【００２９】
ターンテーブル２０は、樹脂等から成形された部材であり、その外周部には、環状の緩衝材２２が設けられている。緩衝材２２上には、図において一点鎖線で示すディスク２４が載置される。
【００３０】
ターンテーブル２０の内周部には、環状の凹部２０ａが設けられており、その凹部２０ａ内には、後に諸述するとおりヨーク２６が配置されている。
【００３１】
ヨーク２６は、鉄、ステンレス等の強磁性材をプレス加工によって成形した環状部材であり、シャフト１０の外周面上端部に圧入によって、固定されている。
【００３２】
ヨーク２６の上面には、これとほぼ同一の外径を有するクランプマグネット２８が接着され、固定されている。これらヨーク２６とクランプマグネット２８とは、凹部２０ａの底面及び内周面との間に間隙を介するよう収納されている。
【００３３】
クランプマグネット２８は、図において二点鎖線にて示す駆動装置側のクランプ部材３０を軸方向に磁気吸引する。この磁気吸引力によって、クランプ部材３０が、ターンテーブル２０の緩衝材２２上に載置されるディスク２４を軸方向下方側に押圧することで、ディスク２４がターンテーブル２０に保持されることとなる。
【００３４】
上述のように、ヨーク２６を、凹部２０ａとの間に間隙を介すよう、シャフト１０に圧入し、固定することによって、ヨーク２６が、ターンテーブル２０の固定位置のずれ等に影響されず、固定部位の位置決めを任意に設定できる。
【００３５】
また、ヨーク２６とシャフト１０との金属による圧入固定により、固定強度の均一化を図ることができ、工程作業の質の均一化が図れ、作業効率も向上する。
【００３６】
加えて、クランプマグネット２８の高さ及び平行度をヨーク２６によって設定できると共に、各部材の部品寸法の加工誤差も組立時において、修正できることにより、ターンテーブル２０の緩衝材２２上のディスク２４載置面からクランプマグネット２８の上端面までの寸法精度に起因する、クランプマグネット２８のクランプ部材３０への磁気吸引力を周方向に一定に保つことが可能であり、歩留まりも高くなる。
【００３７】
尚、ヨーク２６の下面とターンテーブル２０凹部２０ａの底面との間隙に接着剤等を充填しても良い。
【００３８】
このようにすることにより、ヨーク２６のシャフト１０への圧入固定が、樹脂材であるターンテーブル２０のシャフト１０への接着及び圧入による固定の強度を高めると共に、ヨーク２６及びターンテーブル２０の平行度を一層高精度に確保することが出来るからである。
【００３９】
以上、本発明に係る実施形態の説明を行ったが、本発明は、上述の実施形態に限定されるものではなく、種々の変形が可能である。
【００４０】
例えば、上記実施の形態では、モータ側にヨーク２６とクランプマグネット２８を設けた構成について説明したが、クランプ部材等駆動装置側にクランプマグネットを設け、モータ側はヨークのみの構造としても本実施の形態と同様の作用、効果を得られる。
【００４１】
【発明の効果】
請求項１に記載のブラシレスモータでは、ヨークがシャフト側に圧入によって固定されていることにより、ヨークとターンテーブルとの平行度を容易且つ確実に維持することが可能となるので、ディスクを安定して保持することができる。
【００４２】
請求項２に記載のブラシレスモータでは、ヨークと、ターンテーブルとの間に間隙が設けられていることにより、ターンテーブルの固定位置のずれ等に影響されず、シャフトに対する固定部位の位置決めを任意に設定できる。
【００４３】
請求項３に記載のブラシレスモータでは、ヨークと、ターンテーブルとの間隙に接着剤が充填されていることにより、ヨーク及びターンテーブルのシャフトへの固定強度を高めることが出来ると共に、ヨーク及びターンテーブルの平行度もさらに良好に確保することができる。
【図面の簡単な説明】
【図１】本発明の実施形態を示す断面図である。
【図２】従来のブラシレスモータを示す断面図である。
【符号の説明】
２　　　　　　　　　　　フレーム
４、１０４　　　　　　　ブッシュ
４ｂ　　　　　　　　　　段差部
６、１０６　　　　　　　ステータ
８、１０８　　　　　　　スリーブ
１０、１１０　　　　　　　シャフト
１５、１１５　　　　　　ロータフレーム
１６、１１６　　　　　　ロータマグネット
２０、１２０　　　　　　　ターンテーブル
２０ａ、１２０ａ　　　　凹部
１２０ｂ　　　　　　　　樹脂ピン
２２　　　　　　　　　　緩衝材
２４、１２４　　　　　　　ディスク
２６、１２６　　　　　　　ヨーク
１２６ａ　　　　　　　　嵌合部
２８、１２８　　　　　　　クランプマグネット
３０、１３０　　　　　　　クランプ部材
【図１】
2004056930.tif 000003
【図２】
2004056930.tif 000004
【手続補正書】
【提出日】平成14年7月29日(2002.7.29)
【手続補正１】
【補正対象書類名】明細書
【補正対象項目名】０００２
【補正方法】変更
【補正の内容】
【０００２】
【従来の技術】
ＣＤ−ＲＯＭ，ＣＤ−Ｒ，ＣＤ−ＲＷ，ＤＶＤ−ＲＯＭ，ＤＶＤ−ＲＡＭ，ＤＶＤ−ＲＷ等の着脱自在なディスクの駆動用に使用される従来のブラシレスモータとして、例えば図２に示す構造のものが知られている。


【手続補正２】
【補正対象書類名】明細書
【補正対象項目名】０００３
【補正方法】変更
【補正の内容】
【０００３】
この従来のブラシレスモータは、固定部材であるブッシュ１０４とスリーブ１０８によって回転自在に支持されるシャフト１１０と、シャフト１１０に外嵌固定されて、一体的に回転するロータフレーム１１５と、ロータフレーム１１５に装着されたロータマグネット１１６と、ブッシュ１０４に固定されると共に、ロータマグネット１１６と半径方向に互いに対向するステータ１０６とを備えている。


【手続補正３】
【補正対象書類名】明細書
【補正対象項目名】０００７
【補正方法】変更
【補正の内容】
【０００７】
上記構成を有するブラシレスモータにおいて、ターンテーブル１２０にディスク１２４が載置されると、クランプマグネット１２８によって、図２において二点鎖線で示す駆動装置側のクランプ部材１３０が磁気吸引され、これによりターンテーブル１２０上にディスク１２４が保持されることとなる。


【手続補正４】
【補正対象書類名】明細書
【補正対象項目名】００４１
【補正方法】変更
【補正の内容】
【００４１】
【発明の効果】
請求項１に記載のブラシレスモータでは、ヨークがシャフト側に固定されていることにより、ヨークとターンテーブルとの平行度を容易且つ確実に維持することが可能となるので、ディスクを安定して保持することができる。